(57)【要約】【課題】監視制御装置が通信装置を制御できなくなってしまい、不通となった回線情報の登録を監視制御装置から容易に削除すること。【解決手段】動作状態検出部１２２は各複合型多重化装置２００が動作中かを検出する。削除回線特定部１２３はこの検出結果に基づき削除対象回線を特定する。動作状態検出部１２２が動作中の複合型多重化装置２００を検出した場合、端末側メッセージ通信部１１２は回線削除メッセージを複合型多重化装置へ送信する。装置側メッセージ通信部２１２は回線削除メッセージを受信し、装置側回線管理部２２１は回線削除メッセージに従って装置側記憶部２３０内の削除対象回線を削除する。装置側メッセージ通信部２１２は回線削除完了メッセージを監視制御端末へ送信する。端末側回線管理部１２１は、回線削除完了メッセージを受信すると、端末側記憶部１３０内の削除対象回線を削除する。【選択図】      図１
2014042191.tif 000002
【特許請求の範囲】
【請求項１】
複数の通信装置と、前記複数の通信装置の間を接続する複数の回線の接続状態を監視して制御する監視制御端末を有する監視制御システムであって、
前記通信装置は、
前記複数の回線に関する情報である複数の回線情報が登録された装置側記憶部と、
前記監視制御端末との間でメッセージを通信する装置側メッセージ通信部と、
前記装置側記憶部に登録された複数の回線情報を管理する装置側回線管理部とを有し、
前記監視制御端末は、
前記複数の回線情報が登録された端末側記憶部と、
前記複数の通信装置の各々が動作しているか否かを検出する動作状態検出部と、
前記動作状態検出部の検出結果に基づいて、前記複数の通信装置間を接続する複数の回線のうち、削除が必要となる回線を削除対象回線として特定する削除回線特定部と、
前記複数の通信装置との間でメッセージを通信する端末側メッセージ通信部と、
前記端末側記憶部に登録された複数の回線情報を管理する端末側回線管理部を有し、
前記装置側回線管理部は、前記端末側メッセージ通信部により送信される前記メッセージに従って、前記装置側記憶部に前記回線情報を登録または削除し、
前記端末側回線管理部は、前記装置側メッセージ通信部により送信される前記メッセージに従って、前記端末側記憶部に前記回線情報を登録または削除し、
前記動作状態検出部が、動作している通信装置を動作中通信装置として検出した場合、
前記端末側メッセージ通信部は、前記削除回線特定部により特定された前記削除対象回線の登録を削除するための回線削除メッセージを前記動作中通信装置へ送信し、
前記動作中通信装置において、前記装置側メッセージ通信部は、前記回線削除メッセージを受信し、前記装置側回線管理部は、前記回線削除メッセージに従って、前記装置側記憶部に登録された複数の回線情報のうち、前記削除対象回線の登録を削除し、前記装置側メッセージ通信部は、前記装置側回線管理部により前記削除対象回線の登録が削除されたことを通知するための回線削除完了メッセージを前記監視制御端末へ送信し、
前記端末側回線管理部は、前記装置側メッセージ通信部から前記回線削除完了メッセージを受信すると、前記端末側記憶部に登録された複数の回線情報のうち、前記削除対象回線の登録を削除する監視制御システム。
【請求項２】
前記動作状態検出部が、動作していない通信装置を停止中通信装置として検出した場合、
前記端末側メッセージ通信部が、前記回線削除メッセージを前記停止中通信装置へ送信したものと擬似的にみなす擬似送信処理を行うとともに、前記回線削除完了メッセージを前記停止中通信装置から受信したものと擬似的にみなす擬似受信処理を行い、
前記端末側回線管理部は、前記擬似送信処理および前記擬似受信処理に従って、前記端末側記憶部に登録された複数の回線情報のうち、前記削除対象回線の登録を削除する請求項１に記載の監視制御システム。
【請求項３】
前記監視制御端末は、前記複数の通信装置に対して、前記複数の通信装置の各々が動作しているか否かを検出するための制御コネクション要求信号を送信する端末側制御コネクション要求通信部を有し、
前記通信装置は、前記端末側制御コネクション要求信号通信部により送信された前記制御コネクション要求信号に応答する装置側制御コネクション要求信号通信部を有し、
前記動作状態検出部は、前記装置側制御コネクション要求通信部により応答があった通信装置を、前記動作中通信装置として検出する請求項１または２に記載の監視制御システム。
【請求項４】
複数の通信装置と、前記複数の通信装置の間を接続する複数の回線の接続状態を監視して制御する監視制御端末を有する監視制御システムの監視制御方法であって、
前記通信装置は、
前記複数の回線に関する情報である複数の回線情報が登録された装置側記憶部と、
前記監視制御端末との間でメッセージを通信する装置側メッセージ通信部と、
前記装置側記憶部に登録された複数の回線情報を管理する装置側回線管理部とを有し、
前記監視制御端末は、
前記複数の回線情報が登録された端末側記憶部と、
前記複数の通信装置の各々が動作しているか否かを検出する動作状態検出部と、
前記動作状態検出部の検出結果に基づいて、前記複数の通信装置間を接続する複数の回線のうち、削除が必要となる回線を削除対象回線として特定する削除回線特定部と、
前記複数の通信装置との間でメッセージを通信する端末側メッセージ通信部と、
前記端末側記憶部に登録された複数の回線情報を管理する端末側回線管理部を有し、
前記装置側回線管理部は、前記端末側メッセージ通信部により送信される前記メッセージに従って、前記装置側記憶部に前記回線情報を登録または削除し、
前記端末側回線管理部は、前記装置側メッセージ通信部により送信される前記メッセージに従って、前記端末側記憶部に前記回線情報を登録または削除し、
前記動作状態検出部により前記複数の通信装置の各々が動作しているか否かを検出する検出ステップと、
前記検出ステップで、前記動作状態検出部が、動作している通信装置を動作中通信装置として検出した場合、前記端末側メッセージ通信部が、前記削除回線特定部により特定された前記削除対象回線の登録を削除するための削除メッセージを前記動作中通信装置へ送信する削除メッセージ送信ステップと、
前記動作中通信装置の装置側メッセージ通信部が、前記回線削除メッセージを受信する削除メッセージ受信ステップと、
前記動作中通信装置の前記装置側回線管理部が、前記回線削除メッセージに従って、前記装置側記憶部に登録された複数の回線情報のうち、前記削除対象回線の登録を削除する第１の装置側回線登録削除ステップと、
前記動作中通信装置の前記装置側メッセージ通信部が、前記装置側回線管理部により前記削除対象回線の登録が削除されたことを通知するための削除完了メッセージを前記監視制御端末へ送信する削除完了メッセージ送信ステップと、
前記端末側回線管理部が、前記装置側メッセージ通信部から前記削除完了メッセージを受信すると、前記端末側記憶部に登録された複数の回線情報のうち、前記削除対象回線の登録を削除する端末側回線登録削除ステップとを含む監視制御方法。
【請求項５】
前記検出ステップで、前記動作状態検出部が、動作していない通信装置を停止中通信装置として検出した場合、前記端末側メッセージ通信部が、前記回線削除メッセージを前記停止中通信装置へ送信したものと擬似的にみなす擬似送信処理を行う擬似送信ステップと、
前記端末側メッセージ通信部が、前記回線削除完了メッセージを前記停止中通信装置から受信したものと擬似的にみなす擬似受信処理を行う擬似受信ステップと、
前記端末側回線管理部が、前記擬似送信ステップおよび前記擬似受信ステップに従って、前記端末側記憶部に登録された複数の回線情報のうち、前記削除対象回線の登録を削除する第２の端末側回線登録削除ステップを含む監視制御方法。
【発明の詳細な説明】
【技術分野】
【０００１】
本発明は、監視制御システム等に関し、複数の通信装置と、複数の通信装置の間を接続する複数の回線の接続状態を監視して制御する監視制御端末を有する監視制御システム等に関する。
【背景技術】
【０００２】
近年、複合多重化装置などの通信装置のネットワーク・トポロジーをリング型にネットワーク構成して、監視制御端末により通信装置を監視するシステムが知られている。
【０００３】
このようなシステムでは、東日本大震災のような震災などの津波の影響を受けて、リング内の一部の通信装置が水没すると、水没した通信装置を端点とする回線や、水没した津信装置を中継する回線が不通状態になってしまう場合があった。
【０００４】
このような場合、不通状態となった回線を復旧させるために、不通状態の回線を削除し、水没した通信装置を迂回する回線を張り直す必要が生じる。
【０００５】
なお、本発明に関連する技術が、特許文献１および特許文献２に開示されている。
【先行技術文献】
【特許文献】
【０００６】
【特許文献１】特開平４−２６３５４０号公報
【特許文献２】特開平８−２３３７７号公報
【発明の概要】
【発明が解決しようとする課題】
【０００７】
しかしながら、回線を削除するには、当該回線を構成する端点に位置する複合多重化装置と中継装置に対して同時に行う必要がある。このため、リング内で制御不能になった複合多重化装置が１つでも存在すると、回線を削除できないという問題があった。このため、制御不能となった通信装置を通過する回線が、不通状態となったままで、監視制御端末および通信装置の各記憶部に残ってしまう。
【０００８】
本発明は、このような事情に鑑みてなされたものであり、本発明の目的は、監視制御装置が通信装置を制御できなくなってしまい、不通となった回線情報の登録を監視制御端末および通信装置から容易に削除することができる監視制御システムおよび監視制御方法を提供することにある。
【課題を解決するための手段】
【０００９】
本発明の監視制御システムは、複数の通信装置と、前記複数の通信装置の間を接続する複数の回線の接続状態を監視して制御する監視制御端末を有する監視制御システムであって、前記通信装置は、前記複数の回線に関する情報である複数の回線情報が登録された装置側記憶部と、前記監視制御端末との間でメッセージを通信する装置側メッセージ通信部と、前記装置側記憶部に登録された複数の回線情報を管理する装置側回線管理部とを有し、前記監視制御端末は、前記複数の回線情報が登録された端末側記憶部と、前記複数の通信装置の各々が動作しているか否かを検出する動作状態検出部と、前記動作状態検出部の検出結果に基づいて、前記複数の通信装置間を接続する複数の回線のうち、削除が必要となる回線を削除対象回線として特定する削除回線特定部と、前記複数の通信装置との間でメッセージを通信する端末側メッセージ通信部と、前記端末側記憶部に登録された複数の回線情報を管理する端末側回線管理部を有し、前記装置側回線管理部は、前記端末側メッセージ通信部により送信される前記メッセージに従って、前記装置側記憶部に前記回線情報を登録または削除し、前記端末側回線管理部は、前記装置側メッセージ通信部により送信される前記メッセージに従って、前記端末側記憶部に前記回線情報を登録または削除し、前記動作状態検出部が、動作している通信装置を動作中通信装置として検出した場合、前記端末側メッセージ通信部は、前記削除回線特定部により特定された前記削除対象回線の登録を削除するための回線削除メッセージを前記動作中通信装置へ送信し、前記動作中通信装置において、前記装置側メッセージ通信部は、前記回線削除メッセージを受信し、前記装置側回線管理部は、前記回線削除メッセージに従って、前記装置側記憶部に登録された複数の回線情報のうち、前記削除対象回線の登録を削除し、前記装置側メッセージ通信部は、前記装置側回線管理部により前記削除対象回線の登録が削除されたことを通知するための回線削除完了メッセージを前記監視制御端末へ送信し、前記端末側回線管理部は、前記装置側メッセージ通信部から前記回線削除完了メッセージを受信すると、前記端末側記憶部に登録された複数の回線情報のうち、前記削除対象回線の登録を削除する。
【００１０】
本発明の監視制御方法は、前記複数の通信装置の間を接続する複数の回線の接続状態を監視して制御する監視制御端末を有する監視制御システムの監視制御方法であって、前記通信装置は、前記複数の回線に関する情報である複数の回線情報が登録された装置側記憶部と、前記監視制御端末との間でメッセージを通信する装置側メッセージ通信部と、前記装置側記憶部に登録された複数の回線情報を管理する装置側回線管理部とを有し、前記監視制御端末は、前記複数の回線情報が登録された端末側記憶部と、前記複数の通信装置の各々が動作しているか否かを検出する動作状態検出部と、前記動作状態検出部の検出結果に基づいて、前記複数の通信装置間を接続する複数の回線のうち、削除が必要となる回線を削除対象回線として特定する削除回線特定部と、前記複数の通信装置との間でメッセージを通信する端末側メッセージ通信部と、前記端末側記憶部に登録された複数の回線情報を管理する端末側回線管理部を有し、前記装置側回線管理部は、前記端末側メッセージ通信部により送信される前記メッセージに従って、前記装置側記憶部に前記回線情報を登録または削除し、前記端末側回線管理部は、前記装置側メッセージ通信部により送信される前記メッセージに従って、前記端末側記憶部に前記回線情報を登録または削除し、前記動作状態検出部により前記複数の通信装置の各々が動作しているか否かを検出する検出ステップと、前記検出ステップで、前記動作状態検出部が、動作している通信装置を動作中通信装置として検出した場合、前記端末側メッセージ通信部が、前記削除回線特定部により特定された前記削除対象回線の登録を削除するための削除メッセージを前記動作中通信装置へ送信する削除メッセージ送信ステップと、前記動作中通信装置の装置側メッセージ通信部が、前記回線削除メッセージを受信する削除メッセージ受信ステップと、前記動作中通信装置の前記装置側回線管理部が、前記回線削除メッセージに従って、前記装置側記憶部に登録された複数の回線情報のうち、前記削除対象回線の登録を削除する第１の装置側回線登録削除ステップと、前記動作中通信装置の前記装置側メッセージ通信部が、前記装置側回線管理部により前記削除対象回線の登録が削除されたことを通知するための削除完了メッセージを前記監視制御端末へ送信する削除完了メッセージ送信ステップと、前記端末側回線管理部が、前記装置側メッセージ通信部から前記削除完了メッセージを受信すると、前記端末側記憶部に登録された複数の回線情報のうち、前記削除対象回線の登録を削除する端末側回線登録削除ステップとを含んでいる。
【発明の効果】
【００１１】
本発明にかかる監視制御システムおよび監視制御方法によれば、監視制御装置が通信装置を制御できなくなってしまい、不通となった回線情報の登録を監視制御装置および通信装置から容易に削除することができる。
【図面の簡単な説明】
【００１２】
【図１】本発明の実施の形態における監視制御システムの構成を示す図である。
【図２】本発明の実施の形態における監視制御システムの概略構成を示す図である。
【図３】一般的な監視制御システムの動作フローを示す図である。
【図４】本発明の実施の形態における監視制御システムの動作フローを示す図である。
【図５】本発明の実施の形態における監視制御システムの動作フローを示す図である。
【発明を実施するための形態】
【００１３】
本発明の実施の形態における監視制御システム１０００について、図に基づいて説明する。
【００１４】
図１は、本発明の実施の形態における監視制御システム１０００の構成を示す図である。図２は、監視制御システム１０００の概略構成を示す図である。
【００１５】
まず、図２を用いて、監視制御システム１０００の概略構成を説明し、その後に、図１等を用いて、監視制御システム１０００の構成を詳しく説明する。
【００１６】
図２に示されるように、監視制御システム１０００は、監視制御装置１００と、複合多重化装置Ａ２００ａと、複合多重化装置Ｂ２００ｂと、複合多重化装置Ｃ２００ｃとを含んで構成されている。なお、複合多重化装置Ａ２２０ａ、複合多重化装置Ｂ２００ｂおよび複合多重化装置Ｃ２００ｃは、本発明の通信装置に対応する。
【００１７】
図２に示されるように、監視制御システム１０００は、複合多重化装置Ａ２２０ａ、複合多重化装置Ｂ２００ｂおよび複合多重化装置Ｃ２００ｃのネットワーク・トポロジーをリング型でネットワーク構築している。
【００１８】
すなわち、複合多重化装置Ａ２２０ａ、複合多重化装置Ｂ２００ｂおよび複合多重化装置Ｃ２００ｃはリング状のネットワーク４００により接続されている。また、このネットワーク４００には、監視制御端末１００が接続されている。
【００１９】
また、図２に示されるように、複合多重化装置Ａ２２０ａ、複合多重化装置Ｂ２００ｂおよび複合多重化装置Ｃ２００ｃは、複数の回線５１０、５２０により互いに接続されている。具体的には、複合多重化装置Ａ２００ａと複合多重化装置Ｃ２００ｃは、複合多重化装置Ｂ２００ｂを介して、回線５１０により接続されている。また、複合多重化装置Ａ２００ａと複合多重化装置Ｃ２００ｃは、回線５１０により直接的に接続されている。
【００２０】
ただし、回線５１０は、現時点では存在するが、後に削除の対象となる回線である。回線５２０は、現時点では存在しないが、回線５１０を削除した後に、再登録する回線である。
【００２１】
このとき、複合多重化装置Ｂ２００ｂは、中継装置として機能している。すなわち、複合多重化装置Ｂ２００ｂは、複合多重化装置Ａ２００ａと複合多重化装置Ｃ２００ｃの間を接続する回線５１０上で、複合多重化装置Ａ２００ａと複合多重化装置Ｃ２００ｃの間の回線接続を中継する。
【００２２】
なお、後述では、複合多重化装置Ｂ２００ｂが監視制御装置１００により制御できなくなった場合（制御不能状態）を想定する。このため、図２では、複合多重化装置Ｂ２００ｂに×の印を付している。また、複合多重化装置Ｂ２００ｂが監視制御装置１００によって制御できなくなった場合、複合多重化装置Ｂ２００ｂに接続する回線５１０の登録を監視制御装置１００から削除する必要が生じる。このため、図２では、回線５１０を点線で示している。
【００２３】
また、図２に示されるように、複合多重化装置Ａ２２０ａ、複合多重化装置Ｂ２００ｂおよび複合多重化装置Ｃ２００ｃの各々は、回線登録情報のデータベース２３１ａ〜２３１ｃを有している。すなわち、複合多重化装置Ａ２００ａは、回線登録情報のデータベース２３１ａを有している。複合多重化装置Ｂ２００ｂは、回線登録情報のデータベース２３１ｂを有している。複合多重化装置Ｃ２００ｃは、回線登録情報のデータベース２３１ｃを有している。なお、上述の通り、後述では、複合多重化装置Ｂ２００ｂが監視制御装置１００によって制御できなくなった場合を想定する。このため、図２では、回線登録情報のデータベース２３１ｂに×の印を付している。なお、回線登録情報のデータベース２３１ａ〜２３１ｃについては、図１を用いて、後で詳しく説明する。
【００２４】
図２に示されるように、監視制御装置１００は、複数の回線登録情報のデータベース１３１〜１３３を有している。このとき、回線登録情報のデータベース１３１は、複合多重化装置Ａ２００ａに対応している。回線登録情報のデータベース１３２は、複合多重化装置Ｂ２００ｂに対応している。同様に、回線登録情報のデータベース１３３は、複合多重化装置Ｃ２００ｃに対応している。なお、複数の回線登録情報のデータベース１３１〜１３３については、図１を用いて、後で詳しく説明する。
【００２５】
また、図２に示されるように、監視制御装置１００と各複合多重化装置２００ａ〜２００ｂはメッセージ交換を行う。このメッセージ交換の処理内容については、後で、図１を用いて詳しく説明する。
【００２６】
図１に戻って、監視制御システム１０００の構成について、詳しく説明する。
【００２７】
監視制御システム１０００は、監視制御端末１００と、複合多重化装置Ａ２００ａと、複合多重化装置Ｂ２００ｂと、複合多重化装置Ｃ２００ｃとを含んで構成されている。また、監視制御端末１００と、複合多重化装置Ａ２００ａと、複合多重化装置Ｂ２００ｂと、複合多重化装置Ｃ２００ｃは、ネットワーク４００によって接続されている。
【００２８】
なお、以下の説明では、複合多重化装置Ａ２００ａと、複合多重化装置Ｂ２００ｂと、複合多重化装置Ｃ２００ｃを特に区別する必要がない場合には、これらを包括的に複合多重化装置２００とする。また、複合多重化装置Ａ２００ａと、複合多重化装置Ｂ２００ｂと、複合多重化装置Ｃ２００ｃを区別する必要がある場合であっても、複数の複合型多重化装置２００を特定するときには、例えば、複合型多重化装置２００ａ、２００ｃや、複合型多重化装置２００ｂ、２００ｃなどと示す場合もある。
【００２９】
まず、監視制御端末１００の構成について、詳しく説明する。
【００３０】
図１に示されるように、監視制御端末１００は、端末側通信部１１０と、端末側制御部１２０と、端末側記憶部１３０とを有している。
【００３１】
端末側通信部１２０は、ネットワーク４００を介して、複数の複合型多重化装置２００と通信する。端末側通信部１２０は、端末側コネクション要求信号通信部１１１と、端末側メッセージ通信部１１２とを有している。
【００３２】
端末側コネクション要求信号通信部１１１は、複数の複合型多重化装置２００に対して、ネットワーク４００を介して、制御コネクション要求信号を送信する。この制御コネクション要求信号は、複数の複合型多重化装置２００の各々が動作しているか否かを検出するための信号である。
【００３３】
端末側メッセージ通信部１１２は、複数の複合型多重化装置２００との間で、ネットワーク４００を介して、メッセージを通信（送受信）する。メッセージには、例えば、後述の複合型多重化装置２００の記憶部２３０に記憶された回線情報の登録または削除に関するものがある。
【００３４】
端末側制御部１２０は、監視制御端末１００全体の制御を行う。端末側制御部１２０は、端末側回線管理部１２１と、動作状態検出部１２２とを有している。
【００３５】
端末側回線管理部１２１は、後述の装置側メッセージ通信部２１２により送信されるメッセージに従って、後述の端末側記憶部１３０に回線情報を登録または削除する。
【００３６】
動作状態検出部１２２は、複数の複合型多重化装置２００の各々が動作しているか否かを検出する。このとき、端末側回線管理部１２１は、動作していない複合型多重化装置２００を停止中通信装置（停止中複合型多重化装置）として検出する。逆に、端末側回線管理部１２１は、動作している複合型多重化装置２００を動作中通信装置（動作中複合型多重化装置）として検出する。
【００３７】
このとき、動作状態検出部１２２は、後述の複合型多重化装置２００の装置側制御コネクション要求通信部２１１により応答があった複合型多重化装置を、動作中通信装置として検出する。逆に、動作状態検出部１２２は、後述の複合型多重化装置２００の装置側制御コネクション要求通信部２１１により応答がなかった複合型多重化装置を、停止中通信装置として検出する。
【００３８】
削除回線特定部１２３は、動作状態検出部１２２の検出結果に基づいて、複数の複合型多重化装置２００間を接続する複数の回線のうち、削除が必要となる回線を削除対象回線として特定する。
【００３９】
端末側記憶部１３０は、監視制御端末１００および複合型多重化装置２００に関する各種情報を記憶する。端末側記憶部１３０は、複合型多重化装置Ａの回線登録情報のデータベース１３１と、複合型多重化装置Ｂの回線登録情報のデータベース１３２と、複合型多重化装置の回線登録情報のデータベース１３３とを有している。
【００４０】
複合型多重化装置Ａの回線登録情報のデータベース１３１は、端末側回線制御部１２０が複合型多重化装置Ａ２００ａに登録されている回線情報を管理するためのデータベースである。同様に、複合型多重化装置Ｂの回線登録情報のデータベース１３２は、端末側回線制御部１２０が複合型多重化装置Ｂ２００ｂに登録されている回線情報を管理するためのデータベースである。同様に、複合型多重化装置Ｃの回線登録情報のデータベース１３３は、端末側回線制御部１２０が複合型多重化装置Ｃ２００ｃに登録されている回線情報を管理するためのデータベースである。
【００４１】
以上、監視制御端末１００の構成について説明した。
【００４２】
次に、複合型多重化装置２００の構成について、詳しく説明する。
【００４３】
複合型多重化装置２００は、装置側通信部２１０と、装置側制御部２２０と、装置側記憶部２３０とを有している。
【００４４】
装置側通信部２１０は、ネットワーク４００を介して、監視制御端末１００と通信する。装置側通信部２１０は、装置側制御コネクション要求信号通信部２１１と、装置側メッセージ通信部２１２とを有している。
【００４５】
装置側コネクション要求信号通信部２１１は、監視制御端末１００から送信される制御コネクション要求信号を受信する。そして、装置側コネクション要求信号通信部２１１は、制御コネクション要求信号に対する応答信号として、制御コネクション応答信号を監視制御端末１００へ送信する。
【００４６】
装置側メッセージ通信部２１２は、監視制御端末１００との間で、ネットワーク４００を介して、メッセージを通信（送受信）する。メッセージには、前述の通り、例えば、後述の複合型多重化装置２００の記憶部２３０に記憶された回線情報の登録または削除に関するものがある。
【００４７】
装置側制御部２２０は、複合型多重化装置２００全体の制御を行う。装置側制御部２２０は、装置側回線管理部２２１を有している。
【００４８】
装置側回線管理部２２１は、端末側メッセージ通信部１１２により送信されるメッセージに従って、装置側記憶部２３０に回線情報を登録または削除する。
【００４９】
装置側回線管理部２２１は、複数の複合型多重化装置２００の各々が動作しているか否かを検出する。このとき、端末側回線管理部１２１は、動作していない複合型多重化装置２００を停止中通信装置（停止中複合型多重化装置）として検出する。逆に、端末側回線管理部１２１は、動作している複合型多重化装置２００を動作中通信装置（動作中複合型多重化装置）として検出する。
【００５０】
このとき、動作状態検出部１２２は、後述の複合型多重化装置２００の装置側制御コネクション要求通信部２１１により応答があった複合型多重化装置を、動作中通信装置として検出する。逆に、動作状態検出部１２２は、後述の複合型多重化装置２００の装置側制御コネクション要求通信部２１１により応答がなかった複合型多重化装置を、停止中通信装置として検出する。
【００５１】
装置側記憶部２３０は、複合型多重化装置２００に関する各種情報を記憶する。装置側記憶部２３０は、当該複合型多重化装置２００の回線登録情報のデータベース２３１を有する。すなわち、複合型多重化装置Ａ２００ａの装置側記憶部２３０は、当該複合型多重化装置Ａ２００ａの回線登録情報のデータベース２３１ａを有する（図２を参照）。同様に、複合型多重化装置Ｂ２００ｂの装置側記憶部２３０は、当該複合型多重化装置Ｂ２００ｂの回線登録情報のデータベース２３１ｂを有する（図２を参照）。同様に、複合型多重化装置Ｃ２００ｃの装置側記憶部２３０は、当該複合型多重化装置Ｃ２００ｃの回線登録情報のデータベース２３１ｃを有する（図２を参照）。なお、回線登録情報のデータベース２３１ａ〜２３１ｃを区別する必要がないときには、これらを包括的に回線登録情報のデータベース２３１として説明する。
【００５２】
各複合型多重化装置２００の回線登録情報のデータベース２３１は、装置側制御部２２０が当該複合型多重化装置２００に登録されている回線情報を管理するためのデータベースである。
【００５３】
以上、複合型多重化装置２００の構成について説明した。
【００５４】
次に、本発明の実施の形態における監視制御システム１０００の動作について、図に基づいて説明する。図３は、監視制御システム１０００の一般技術の動作フロー図である。図４および図５は、監視制御システム１０００の動作フローを示す。なお、図３〜図５では、複合型多重化装置２００を単に装置として省略して示している。
【００５５】
まず、本発明の監視制御システム１０００の動作の前提となる一般技術を、図３を用いて説明する。なお、この一般技術を監視制御システム１０００に適用する場合を、一般技術モードと呼ぶこととする。
【００５６】
図３に示されるように、監視制御端末１００は、一般技術モードでは、ネットワーク４００内の複数の複合型多重化装置２００のうちで、監視制御端末１００による制御が不能となった複合型多重化装置２００が存在するか否かを検出する（Ｓ３０１）。
【００５７】
制御不能となった複合型多重化装置２００が１つも存在しない場合（Ｓ３０１、ＮＯ）、ネットワーク４００に障害が生じていない状態となる。このため、不通となる回線も存在しないので、監視制御システム１０００は特に何も処理を行わない。
【００５８】
一方、制御不能となった複合型多重化装置２００が１つでも存在する場合（Ｓ３０１、ＹＥＳ）について、説明する。この場合、制御不能となった複合型多重化装置２００を通る回線は、全て不通回線となる。制御不能となった複合型多重化装置２００を通らないようにして、この不通回線を迂回させたいので、一旦、不通回線を削除する必要がある。しかし、この場合の回線の削除は、対象となる全ての複合型多重化装置２００から同時に削除を行う必要がある。しかし、制御不能となった複合型多重化装置２００が存在すると、当該複合型多重化装置２００の回線を削除できない。このため、結果として、制御可能な複合型多重化装置２００を含めて不通回線全体の削除を行えなかった（Ｓ３０２）。したがって、制御不能となった複合型多重化装置２００を迂回する回線を新たに登録するための容量を装置側記憶部２３０内に確保できず、迂回回線を登録することが不可能であった（Ｓ３０３）。
【００５９】
次に、本発明の監視制御システム１０００の動作を、図４および図５を中心に用いて、具体的に説明する。ここでは、図２に示されるように、複合型多重化装置Ｂ２００ｂが監視制御端末１００によって制御できない状態になっている場合を想定することとする。
【００６０】
なお、この場合の監視制御システム１０００の動作モードを、前述の一般技術モードに対して、非常時モードと呼ぶこととする。図４および５では、複合型多重化装置２００を単に装置として省略して示している。
【００６１】
図４に示されるように、まず、監視制御端末１００が、複合型多重化装置２００との間で、制御コネクションを接続できたかを確認する（Ｓ１０１）。Ｓ１０１は、本発明の検出ステップに対応する。
【００６２】
具体的には、端末側コネクション要求信号通信部１１１が、ネットワーク４００内の全ての複合型多重化装置２００ａ、２００ｂ、２００ｃに対して、ネットワーク４００を介して、制御コネクション要求信号を送信する。
【００６３】
これに対して、制御可能な複合型多重化装置Ａ２００ａおよび複合型多重化装置Ｃ２００ｃでは、装置側コネクション要求信号通信部２１１が、監視制御端末１００から送信される制御コネクション要求信号を受信する。次に、装置側コネクション要求信号通信部２１１は、制御コネクション要求信号に対する応答信号として、制御コネクション応答信号を監視制御端末１００へ送信する。そして、監視制御端末１００では、端末側コネクション要求信号通信部１１１が、制御コネクション応答信号を受信する。これにより、監視制御端末１００は、複合型多重化装置２００との間で制御コネクションを接続することができる。なお、この制御コネクションは、監視制御端末１００と複合型多重化装置２００との間で、後述のＳ１０８の処理まで継続して接続される。
【００６４】
端末側制御コネクション要求信号通信部１１１が制御コネクション応答信号を受信した場合、動作状態検出部１２２は、制御コネクション応答信号を送信した複合型多重化装置２００ａ、２００ｃを、動作中通信装置として検出する。すなわち、動作状態検出部１２２は、装置側制御コネクション要求通信部２１１により応答があった複合型多重化装置２００ａ、２００ｃを、動作中通信装置（動作中複合型多重化装置）として検出する。
【００６５】
一方、制御不能となった複合型多重化装置Ｂ２００ｂでは、装置側コネクション要求信号通信部２１１が、監視制御端末１００から送信される制御コネクション要求信号を受信することはできない。このため、監視制御端末１００では、端末側コネクション要求信号通信部１１１は、制御コネクション応答信号を受信できない。この場合は、動作状態検出部１２２は、装置側制御コネクション要求通信部２１１により応答がなかった複合型多重化装置２００ｂを、停止中通信装置（停止中複合型多重化装置）として検出する。
【００６６】
このようにして、監視制御端末１００の動作状況検出部１２２は、ネットワーク４００内の複数の複合型多重化装置２００のうちで、監視制御端末１００による制御が不能となった複合型多重化装置２００が存在するか否かを検出する。
【００６７】
そして、削除回線特定部１２３は、動作状態検出部１２２の検出結果に基づいて、複数の複合型多重化装置２００間を接続する複数の回線のうち、削除が必要となる回線を削除対象回線として特定する。具体的には、削除回線特定部１２３は、停止中通信装置（停止中複合型多重化装置）に接続されている回線を、削除対象回線として特定する。ここでは、停止中複合型多重化装置２００ｂに接続された回線５１０を、削除対象回線として特定する。
【００６８】
監視制御端末１００が、複合型多重化装置２００との間で、制御コネクションを接続できた場合（Ｓ１０１、ＹＥＳ）、図２に示されるように、監視制御端末１００が複合型多重化装置２００ａ、２００ｃへ回線削除メッセージを送信する（Ｓ１０２）。具体的には、端末側メッセージ通信部１１２が、削除回線特定部１２３により特定された削除対象回線５１０の登録を削除するための回線削除メッセージを、動作中の複合型多重化装置２００ａ、２００ｃ（動作中通信装置）へ送信する。Ｓ１０２は、本発明の削除メッセージ送信ステップに対応する。
【００６９】
次に、動作中の複合型多重化装置２００ａ、２００ｃは、回線削除メッセージを受信する（Ｓ１０３）。具体的には、動作中の複合型多重化装置２００ａ、２００ｃでは、装置側メッセージ通信部２１２が、回線削除メッセージを受信して、これを装置側制御部２２０へ出力する。Ｓ１０３は、本発明の削除メッセージ受信ステップに対応する。
【００７０】
そして、動作中の複合型多重化装置２００ａ、２００ｃの各々は、装置側記憶部２３０内の回線登録情報のデータベース２３１から、削除対象回線の登録を削除して、当該データベース２３１のデータ更新を行う（Ｓ１０４）。Ｓ１０４は、本発明の第１の装置側回線登録削除ステップに対応する。
【００７１】
具体的には、動作中の複合型多重化装置２００ａ、２００ｃの各々では、装置側回線管理部２２１が、回線削除メッセージに従って、装置側記憶部２３０内の回線登録データベース２３１に登録された複数の回線情報のうち、削除対象回線５１０の登録を削除して、当該データベース２３１のデータ更新を行う。これにより、動作中の複合型多重化装置２００ａ、２００ｃ内の装置側記憶部２３０から、削除対象回線５１０の登録を削除することができる。
【００７２】
次に、動作中の複合型多重化装置２００ａ、２００ｃが、回線削除完了メッセージを監視制御端末１００へ送信する（Ｓ１０５）。Ｓ１０５は、本発明の削除完了メッセージ送信ステップに対応する。
【００７３】
具体的には、動作中の複合型多重化装置２００ａ、２００ｃでは、装置側メッセージ通信部２１２が、回線削除完了メッセージを監視制御端末１００へ送信する。このとき、回線削除完了メッセージは、前述したように、装置側回線管理部２２１により削除対象回線の登録が削除されたことを通知するためメッセージである。
【００７４】
そして、監視制御端末１００は、動作中の複合型多重化装置２００ａ、２００ｃから回線削除完了メッセージを受信する（Ｓ１０６）。
【００７５】
具体的には、監視制御端末１００では、端末側メッセージ通信部１１２が、動作中の複合型多重化装置２００ａ、２００ｃより送信された回線削除完了メッセージを受信する。
【００７６】
次に、監視制御端末１００は、端末側記憶部１３０から、削除対象回線５１０の登録を削除して、端末側記憶部１３０内のデータベース１３１等のデータ更新を行う（Ｓ１０７）。Ｓ１０７は、本発明の端末側回線登録削除ステップに対応する。
【００７７】
具体的には、監視制御端末１００では、端末側メッセージ通信部１１２が装置側メッセージ通信部２１２から回線削除完了メッセージを受信すると、端末側回線管理部１２１が、端末側記憶部１３０内の複合型多重化装置Ａの回線登録情報のデータベース１３１と複合型多重化装置Ｃの回線登録情報のデータベース１３３から、削除対象回線５１０の登録を削除して、当該データベース１３１、１３３のデータ更新を行う。これにより、監視制御端末１００内の端末側記憶部１３０内の複合型多重化装置Ａの回線登録情報のデータベース１３１と複合型多重化装置Ｃの回線登録情報のデータベース１３３から、削除対象回線５１０の登録を削除することができる。
【００７８】
したがって、Ｓ１０４の処理とＳ１０７の処理によって、複合型多重化装置２００の装置側記憶部２３０と監視制御端末１００内の端末側記憶部１３０の双方から、削除対象回線５１０の登録を削除することができる。
【００７９】
この結果、一連の回線削除処理が完了するため、監視制御端末１００は、複合型多重化装置２００との間で接続されている制御コネクションを切断する（Ｓ１０８）。
【００８０】
監視制御端末１００が、複合型多重化装置２００との間で、制御コネクションを接続できなかった場合（Ｓ１０１、ＮＯ）、監視制御端末１００は、回線削除メッセージを送信したものと見なす処理を行う（Ｓ１０９）。Ｓ１０９は、本発明の擬似送信ステップに対応する。
【００８１】
ここで、複合型多重化装置Ｂ２００ｂは、監視制御端末１００が制御できない状態である。このため、監視制御端末１００は、複合型多重化装置Ｂ２００ｂ（停止中通信装置）との間で、制御コネクションを接続できない。したがって、監視制御端末１００は、制御不能となった複合型多重化装置Ｂ２００ｂへ各種メッセージを送信することはできない。
【００８２】
そこで、Ｓ１０９の処理では、監視制御端末１００の端末側メッセージ通信部１１２が、削除対象回線５１０を削除するための回線削除メッセージを、停止中の複合型多重化装置Ｂ２００ｂ（停止中通信装置）へ送信したものと擬似的にみなす擬似送信処理を行う。これにより、監視制御端末１００は、回線削除メッセージを、停止中の複合型多重化装置Ｂ２００ｂへ送信したものとみなすことができる。
【００８３】
次に、監視制御端末１００は、停止中の複合型多重化装置Ｂ２００ｂから、回線削除完了メッセージを受信したものと見なす処理を行う（Ｓ１１０）。Ｓ１１０は、本発明の擬似受信ステップに対応する。
【００８４】
ここで、前述の通り、Ｓ１０９では、実際には、監視制御端末１００は、回線削除メッセージを、停止中の複合型多重化装置Ｂ２００ｂへ送信していない。
【００８５】
しかし、前述の通り、端末側回線管理部１２１は、装置側メッセージ通信部２１２により送信されるメッセージに従って、端末側記憶部１３０に回線情報を登録または削除する必要がある。
【００８６】
そこで、本発明では、監視制御端末１００の端末側メッセージ通信部１１２が、削除対象回線５１０を削除したことを通知するための回線削除完了メッセージを、停止中の複合型多重化装置Ｂ２００ｂから受信したものと擬似的にみなす擬似受信処理を行う。
【００８７】
そして、監視制御端末１００は、Ｓ１０７と同様に、端末側記憶部１３０から、削除対象回線５１０の登録を削除して、端末側記憶部１３０内のデータベース１３１等のデータ更新を行う（Ｓ１１１）。Ｓ１１１は、本発明の第２の端末側回線登録削除ステップに対応する。
【００８８】
具体的には、監視制御端末１００では、端末側回線管理部１２１は、擬似送信処理および擬似受信処理に従って、端末側記憶部１３０内の複合型多重化装置Ｂの回線登録情報のデータベース１３２から、削除対象回線５１０の登録を削除して、当該データベース１３２のデータ更新を行う。これにより、監視制御端末１００内の端末側記憶部１３０内の複合型多重化装置Ｂの回線登録情報のデータベース１３２からも、削除対象回線５１０の登録を削除することができる。
【００８９】
なお、複合型多重化装置Ｂ２００ｂは制御不能であるため、この制御不能となった複合型多重化装置Ｂ２００ｂ内の装置側記憶部２３０内の回線登録情報のデータベース２３０ｂ（図２参照）から、削除対象回線５１０の登録を削除することはできない。
【００９０】
しかしながら、背景技術で示した技術では、制御不能になった複合多重化装置が１つでも存在すると、削除対象回線の登録の削除を全くできなかった。
【００９１】
これに対して、本発明では、少なくとも、監視制御端末１００の端末記憶部１３０内の回線登録情報のデータベース１３２からは、削除対象回線５１０の登録を削除することができるので、背景技術で示した技術と比較して、監視制御システム１０００内の端末記憶部１３０の空き容量をより多く確保できる。
【００９２】
次に、Ｓ１０８およびＳ１１１の処理の後、監視制御端末１００は、他の回線削除対象の複合型多重化装置２００がネットワーク４００内に存在するか否かを検出する（Ｓ１１２）。
【００９３】
他の回線削除対象の複合型多重化装置２００がネットワーク４００内に存在する場合（Ｓ１１２、ＹＥＳ）、Ｓ１０１以降の処理を繰り返す。
【００９４】
一方、他の回線削除対象の複合型多重化装置２００がネットワーク４００内に存在しない場合（Ｓ１１２、ＮＯ）、監視制御端末１００内の端末側記憶部１３０および複合型多重化装置２００内の装置側記憶部１３０から、全ての不通回線(削除対象回線）の登録の削除が完了したことになる（Ｓ１１３）。これにより、監視制御端末１００内の端末側記憶部１３０および複合型多重化装置２００内の装置側記憶部１３０では、空き容量が増加する。
【００９５】
Ｓ１１３の処理を受けて、監視制御端末１００内の端末側記憶部１３０および複合型多重化装置２００内の装置側記憶部１３０では、空き容量が増加するので、制御不能となった複合型多重化装置Ｂ２００ｂを迂回するための回線５２０（図２を参照）を新たに登録することができる状態になる（Ｓ１１４）。
【００９６】
以上、監視制御システム１００の動作について説明した。
【００９７】
以上の通り、本発明の実施の形態における監視制御システム１０００は、複数の複合型多重化装置２００（通信装置）と、複数の複合型多重化装置２００の間を接続する複数の回線の接続状態を監視して制御する監視制御端末１００を有する。複合型多重化装置２００は、装置側記憶部２３０と、装置側メッセージ通信部２１２と、装置側回線管理部２２１とを有している。装置側記憶部２３０は、複数の回線に関する情報である複数の回線情報が登録している。装置側メッセージ通信部２１２は、監視制御端末１００との間でメッセージを通信する。装置側回線管理部２２１は、装置側記憶部２３０に登録された複数の回線情報を管理する。監視制御端末１００は、端末側記憶部１３０と、動作状態検出部１２２と、削除回線特定部１２３と、端末側メッセージ通信部１１２と、端末側回線管理部１２１とを有している。端末側記憶部１３０は、複数の回線情報を登録する。動作状態検出部１２２は、複数の複合型多重化装置２００の各々が動作しているか否かを検出する。削除回線特定部１２３は、動作状態検出部１２２の検出結果に基づいて、複数の複合型多重化装置２００間を接続する複数の回線のうち、削除が必要となる回線を削除対象回線として特定する。端末側メッセージ通信部１１２は、複数の複合型多重化装置２００との間でメッセージを通信する。端末側回線管理部１２１は、端末側記憶部１３０に登録された複数の回線情報を管理する。また、装置側回線管理部２２１は、端末側メッセージ通信部１１２により送信されるメッセージに従って、装置側記憶部２３０に回線情報を登録または削除する。端末側回線管理部１２１は、装置側メッセージ通信部２１２により送信されるメッセージに従って、端末側記憶部１３０に回線情報を登録または削除する。
【００９８】
そして、動作状態検出部１２２が、動作している複合型多重化装置２００を動作中通信装置として検出した場合、各部は次の通りに動作する。すなわち、端末側メッセージ通信部１１２は、削除回線特定部１２３により特定された削除対象回線の登録を削除するための回線削除メッセージを動作中通信装置へ送信する。また、動作中通信装置（動作中の複合型多重化装置２００）において、装置側メッセージ通信部２１２は、回線削除メッセージを受信する。装置側回線管理部２２１は、回線削除メッセージに従って、装置側記憶部２３０に登録された複数の回線情報のうち、削除対象回線の登録を削除する。装置側メッセージ通信部２１２は、装置側回線管理部２２１により削除対象回線の登録が削除されたことを通知するための回線削除完了メッセージを監視制御端末１００へ送信する。そして、端末側回線管理部１２１は、装置側メッセージ通信部２１２から回線削除完了メッセージを受信すると、端末側記憶部１３０に登録された複数の回線情報のうち、削除対象回線の登録を削除する。
【００９９】
このように、本発明の実施の形態における監視制御システム１０００では、動作状態検出部１２２は、複数の複合型多重化装置２００の各々が動作しているか否かを検出する。これにより、監視制御装置１００は、複数の複合型多重化装置２００のうち、監視制御端末１００により制御できる装置（動作中通信装置）と、制御できない装置（停止中通信装置）とを区別して検出することができる。
【０１００】
また、削除回線特定部１２３は、動作状態検出部１２２の検出結果に基づいて、複数の複合型多重化装置２００間を接続する複数の回線のうち、削除が必要となる回線を削除対象回線として特定する。これにより、監視制御装置１００は、不通状態に陥った削除対象回線を特定することができる。
【０１０１】
動作状態検出部１２２が、動作している複合型多重化装置２００を動作中通信装置として検出した場合、端末側メッセージ通信部１１２は、削除回線特定部１２３により特定された削除対象回線の登録を削除するための回線削除メッセージを動作中通信装置へ送信する。
【０１０２】
動作中の複合型多重化装置２００（動作中通信装置）において、装置側メッセージ通信部２１２は、回線削除メッセージを受信する。装置側回線管理部２２１は、回線削除メッセージに従って、装置側記憶部２３０に登録された複数の回線情報のうち、削除対象回線の登録を削除する。これにより、動作中の複合型多重化装置２００内の装置側記憶部２３０から、削除対象回線５１０の登録を削除することができる。この結果、装置側記憶部２３０の空き容量を多く確保できる。
【０１０３】
動作中の複合型多重化装置２００において、装置側メッセージ通信部２１２は、装置側回線管理部２２１により削除対象回線の登録が削除されたことを通知するための回線削除完了メッセージを監視制御端末１００へ送信する。これにより、監視制御端末１００は、動作中の複合型多重化装置２００内の装置側記憶部１３０から削除対象回線の登録が削除されたことを認識することができる。
【０１０４】
そして、端末側回線管理部１２１は、装置側メッセージ通信部２１２から回線削除完了メッセージを受信すると、端末側記憶部１３０に登録された複数の回線情報のうち、削除対象回線の登録を削除する。これにより、監視制御端末１００内の端末記憶部１３０の空き容量をより多く確保できる。
【０１０５】
以上のように、動作状態検出部１２２が、動作している複合型多重化装置２００を動作中通信装置として検出した場合、本発明の監視制御システム１０００では、監視制御端末内の端末側記憶部１３０と、動作中の複合型多重化装置２００の装置側記憶部２３０の双方から、簡単に削除対象回線の登録を削除することができる。この結果、監視制御端末１００内の端末記憶部１３０と複合型多重化装置２３０の装置記憶部２３０の双方の空き容量をより多く確保できる。
【０１０６】
このように、制御不能となった複合型多重化装置２００を迂回する回線を新たに登録するための容量を端末記憶部１３０と装置記憶部２３０の双方で確保できるので、新たに迂回回線を端末記憶部１３０および装置記憶部２３０の双方の空き領域に登録することができる。
【０１０７】
したがって、本発明の実施の形態における監視制御システム１０００によれば、監視制御装置１００が複合型多重化装置２００（通信装置）を制御できなくなってしまい、不通となった回線情報の登録を監視制御端末１００および複合型多重化装置２００（通信装置）から容易に削除することができる。
【０１０８】
本発明の実施の形態における監視制御システム１０００において、動作状態検出部１２２が、動作していない複合型多重化装置２００を停止中通信装置として検出した場合は、監視制御システム１０００は以下の通りに動作する。すなわち、端末側メッセージ通信部１１２が、回線削除メッセージを停止中通信装置（停止中の複合型多重化装置２００）へ送信したものと擬似的にみなす擬似送信処理を行う。ここで、停止中の複合型多重化装置２００は、監視制御端末１００が制御できない状態である。したがって、監視制御端末１００は、制御不能となった停止中の複合型多重化装置２００へ各種メッセージを送信することはできない。そこで、監視制御端末１００の端末側メッセージ通信部１１２が、削除対象回線を削除するための回線削除メッセージを、停止中の複合型多重化装置２００へ送信したものと擬似的にみなす擬似送信処理を行う。これにより、あたかも監視制御端末１００が、回線削除メッセージを、停止中の複合型多重化装置Ｂ２００ｂへ送信したかのように、動作することができる。
【０１０９】
また、端末側メッセージ通信部１１２が、擬似送信処理を行うとともに、回線削除完了メッセージを停止中通信装置（停止中の複合型多重化装置２００）から受信したものと擬似的にみなす擬似受信処理を行う。ここで、前述の通り、監視制御端末１００は、回線削除メッセージを、停止中の複合型多重化装置Ｂ２００ｂへ送信していない。しかし、端末側回線管理部１２１は、装置側メッセージ通信部２１２により送信されるメッセージに従って、端末側記憶部１３０に回線情報を登録または削除する必要がある。そこで、本発明では、監視制御端末１００の端末側メッセージ通信部１１２が、削除対象回線５１０を削除したことを通知するための回線削除完了メッセージを、停止中の複合型多重化装置Ｂ２００ｂから受信したものと擬似的にみなす擬似受信処理を行っている。これにより、あたかも監視制御端末１００が、停止中の複合型多重化装置２００から、回線削除完了メッセージを受信したかのように、動作することができる。
【０１１０】
そして、監視制御端末１００では、端末側回線管理部１２１は、擬似送信処理および擬似受信処理に従って、端末側記憶部１３０から、削除対象回線の登録を削除する。
【０１１１】
これにより、監視制御端末１００内の端末側記憶部１３０から、削除対象回線の登録を削除することができる。この結果、監視制御端末１００内の端末記憶部１３０の空き容量をより多く確保できる。
【０１１２】
以上のように、動作状態検出部１２２が、動作していない複合型多重化装置２００を停止中通信装置として検出した場合、本発明の監視制御システム１０００では、監視制御端末内の端末側記憶部１３０から、簡単に削除対象回線の登録を削除することができる。この結果、監視制御端末１００内の端末記憶部１３０の空き容量をより多く確保できる。
【０１１３】
このように、制御不能となった複合型多重化装置２００を迂回する回線を新たに登録するための容量を端末記憶部１３０で確保できるので、新たに迂回回線を端末記憶部１３０の空き領域に登録することができる。
【０１１４】
したがって、本発明の実施の形態における監視制御システム１０００によれば、監視制御装置１００が複合型多重化装置２００（通信装置）を制御できなくになってしまい、不通となった回線情報の登録を監視制御端末１００から容易に削除することができる。
【０１１５】
なお、停止中の複合型多重化装置２００は制御不能であるため、この制御不能となった複合型多重化装置２００内の装置側記憶部２３０から、削除対象回線の登録を削除することはできない。しかしながら、背景技術で示した技術では、制御不能になった複合多重化装置が１つでも存在すると、削除対象回線の登録の削除を全くできなかった。これに対して、本発明では、少なくとも、監視制御端末１００の端末記憶部１３０からは、削除対象回線の登録を削除することができるので、背景技術で示した技術と比較して、監視制御システム１０００内の端末記憶部１３０の空き容量をより多く確保できる。
【０１１６】
本発明の実施の形態における監視制御システム１０００において、監視制御端末１００は、端末側制御コネクション要求通信部１１１をさらに有している。この端末側制御コネクション要求通信部１１１は、複数の複合型多重化装置２００に対して、複数の複合型多重化装置２００の各々が動作しているか否かを検出するための制御コネクション要求信号を送信する。また、複合型多重化装置２００は、装置側制御コネクション要求信号通信部２１１を有している。この装置側制御コネクション要求信号通信部２１１は、端末側制御コネクション要求信号通信部１１１により送信された制御コネクション要求信号に応答する。そして、動作状態検出部１２２は、装置側制御コネクション要求通信部２１１により応答があった複合型多重化装置２００を、動作中通信装置として検出する。
【０１１７】
このように、監視制御システム１０００では、監視制御端末１００が複合型多重化装置２００から制御コネクション要求信号の応答を受けたか否かで、簡単に、動作中の複合型多重化装置２００か、停止中の複合型多重化装置２００かを識別することができる。
【０１１８】
本発明の実施の形態における監視制御方法は、複数の複合型多重化装置２００（通信装置）と、複数の複合型多重化装置２００の間を接続する複数の回線の接続状態を監視して制御する監視制御端末１００を有する監視制御システム１０００の監視制御方法である。複合型多重化装置２００は、装置側記憶部２３０と、装置側メッセージ通信部２１２と、装置側回線管理部２２１とを有している。装置側記憶部２３０は、複数の回線に関する情報である複数の回線情報が登録している。装置側メッセージ通信部２１２は、監視制御端末１００との間でメッセージを通信する。装置側回線管理部２２１は、装置側記憶部２３０に登録された複数の回線情報を管理する。監視制御端末１００は、端末側記憶部１３０と、動作状態検出部１２２と、削除回線特定部１２３と、端末側メッセージ通信部１１２と、端末側回線管理部１２１とを有している。端末側記憶部１３０は、複数の回線情報を登録する。動作状態検出部１２２は、複数の複合型多重化装置２００の各々が動作しているか否かを検出する。削除回線特定部１２３は、動作状態検出部１２２の検出結果に基づいて、複数の複合型多重化装置２００間を接続する複数の回線のうち、削除が必要となる回線を削除対象回線として特定する。端末側メッセージ通信部１１２は、複数の複合型多重化装置２００との間でメッセージを通信する。端末側回線管理部１２１は、端末側記憶部１３０に登録された複数の回線情報を管理する。また、装置側回線管理部２２１は、端末側メッセージ通信部１１２により送信されるメッセージに従って、装置側記憶部２３０に回線情報を登録または削除する。端末側回線管理部１２１は、装置側メッセージ通信部２１２により送信されるメッセージに従って、端末側記憶部１３０に回線情報を登録または削除する。
【０１１９】
そして、本発明の監視制御方法は、検出ステップと、削除メッセージ送信ステップと、削除メッセージ受信ステップと、第１の装置側回線登録削除ステップと、削除完了メッセージ送信ステップと、端末側回線登録削除ステップとを含んでいる。検出ステップでは、動作状態検出部１２２により複数の複合型多重化装置２００の各々が動作しているか否かを検出する。削除メッセージ送信ステップでは、検出ステップで、動作状態検出部１２２が、動作している複合型多重化装置２００を動作中の複合型多重化装置２００（動作中通信装置）として検出した場合、端末側メッセージ通信部１１２が、削除回線特定部１２３により特定された削除対象回線の登録を削除するための削除メッセージを動作中の複合型多重化装置２００へ送信する。削除メッセージ受信ステップでは、動作中の複合型多重化装置２００の装置側メッセージ通信部１１２が、回線削除メッセージを受信する。第１の装置側回線登録削除ステップでは、動作中の複合型多重化装置２００の装置側回線管理部２２１が、回線削除メッセージに従って、装置側記憶部２３０に登録された複数の回線情報のうち、削除対象回線の登録を削除する。削除完了メッセージ送信ステップでは、動作中の複合型多重化装置２００の装置側メッセージ通信部２１２が、装置側回線管理部２２１により削除対象回線の登録が削除されたことを通知するための削除完了メッセージを監視制御端末１００へ送信する。端末側回線登録削除ステップでは、端末側回線管理部１２１が、装置側メッセージ通信部２１２から削除完了メッセージを受信すると、端末側記憶部１３０に登録された複数の回線情報のうち、削除対象回線の登録を削除する。
【０１２０】
このような監視制御方法であっても、前述した監視制御システム１０００と同様の効果を奏することができる。
【０１２１】
また、本発明の実施の形態における監視制御方法は、擬似受信ステップと、第２の端末側回線登録削除ステップとを含んでいる。擬似受信ステップでは、検出ステップで、動作状態検出部１２２が、動作していない複合型多重化装置２００を停止中の複合型多重化装置２００（停止中通信装置）として検出した場合、端末側メッセージ通信部１２２が、回線削除メッセージを停止中の複合型多重化装置２００へ送信したものと擬似的にみなす擬似送信処理を行う。擬似受信ステップでは、端末側メッセージ通信部１１２が、回線削除完了メッセージを停止中の複合型多重化装置２００から受信したものと擬似的にみなす擬似受信処理を行う。第２の端末側回線登録削除ステップでは、端末側回線管理部１２１が、擬似送信ステップおよび擬似受信ステップに従って、端末側記憶部１３０に登録された複数の回線情報のうち、削除対象回線の登録を削除する。
【０１２２】
このような監視制御方法であっても、前述した監視制御システム１０００と同様の効果を奏することができる。
【０１２３】
なお、上記実施の形態の説明では、不通回線を削除することに焦点を当てているが、特に回線の削除に限られない。制御不能な複合型多重化装置が存在しても、当該複合型多重化装置の登録や試験など、監視制御端末１００から行う全ての装置制御に関して同様のことが言える。
【０１２４】
また、全ての複合型多重化装置２００が制御不能になった場合を想定する。全ての複合型多重化装置２００が制御不能であったとしても、回線情報等、監視制御端末１００のデータベースの更新だけは行うことができる。このことから、複合型多重化装置２００がない場所（例えば、事務所の机上等）でも監視制御端末１００のデータベースを操作することができることが言える。応用例として、事前に監視制御端末１００のデータベースを事務所に前もって作成して、後日、現地（監視制御端末１００や複合型多重化装置２００の設置場所）へ行ってそのデータベースを複合型多重化装置２００へ一編にダウンロードすることも可能である。これにより、現地での作業時間を短縮できることが期待できるので、現地の作業を数時間以内に終了しなければならない時に有効である。
【０１２５】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【０１２６】
１００  監視制御装置
１１０  端末側通信部
１１１  端末側制御コネクション要求信号通信部
１１２  端末側メッセージ通信部
１２０  端末側制御部
１２１  端末側回線管理部
１２２  動作状態検出部
１２３  削除回線特定部
１３０  端末側記憶部
１３１  複合多重化装置Ａの回線登録情報のデータベース
１３２  複合多重化装置Ｂの回線登録情報のデータベース
１３３  複合多重化装置Ｃの回線登録情報のデータベース
２００ａ  複合多重化装置Ａ
２００ｂ  複合多重化装置Ｂ
２００ｃ  複合多重化装置Ｃ
２００  複合多重化装置
２１０  装置側通信部
２１１  装置側制御コネクション要求信号通信部
２１２  装置側メッセージ通信部
２２０  装置側制御部
２２１  装置側回線管理部
２３０  装置側記憶部
２３１  回線登録情報のデータベース
４００  ネットワーク
５１０  回線
５２０  回線
１０００  監視制御システム
【図１】
2014042191.tif 000003
【図２】
2014042191.tif 000004
【図３】
2014042191.tif 000005
【図４】
2014042191.tif 000006
【図５】
2014042191.tif 000007